【手続補正書】
【提出日】平成17年9月12日(2005.9.12)
【手続補正１】
【補正対象書類名】明細書
【補正対象項目名】特許請求の範囲
【補正方法】変更
【補正の内容】
【特許請求の範囲】
【請求項１】
電源ライン上に互いに接続された複数の装置に対して電力供給を行う電力制御システムであって、
前記複数の装置との間でデータ転送と電力供給を行うために、前記複数の装置と接続する装置接続手段と、
前記複数の装置の接続状態に変化なく、前記複数の装置の電力消費量が所定のレベルを超えた場合に、前記複数の装置における電力情報に基づいて、各装置に対する電力配分を決定する配分決定手段と、
前記配分決定手段により決定された電力配分に従って、各装置の電力消費モードを制御するモード制御手段と、を有することを特徴とする電力制御システム。
【請求項２】
前記電源はＡＣ外部電源であることを特徴とする請求項１記載の電力制御システム。
【請求項３】
前記配分決定手段は、各装置に配分する電力の総和が所定値以下となるようにすることを特徴とする請求項１記載の電力制御システム。
【請求項４】
前記電力消費モードは、装置の電源をオフとするモードを含むことを特徴とする請求項１記載の電力制御システム。
【請求項５】
前記配分決定手段は、各装置に予め設定されている優先度に基づいて電力配分を決定することを特徴とする請求項１記載の電力制御システム。
【請求項６】
前記優先度は、各装置の電力消費モード毎に設定されていることを特徴とする請求項５記載の電力制御システム。
【請求項７】
前記配分決定手段は、動作する装置数が最大となるように、電力配分を決定することを特徴とする請求項１記載の電力制御システム。
【請求項８】
更に、前記電力情報を前記電源ラインに多重する第１の多重化手段を有し、
前記配分決定手段は、前記第１の多重化手段により多重された前記電力情報に基づいて、各装置に対する電力配分を決定することを特徴とする請求項１記載の電力制御システム。
【請求項９】
更に、前記配分決定手段によって決定された電力配分に基づく電力制御信号を前記電源ラインに多重する第２の多重化手段を有し、
前記モード制御手段は、前記電力制御信号に基づいて各機器の電力消費モードを制御する手段を有することを特徴とする請求項８記載の電力制御システム。
【請求項１０】
前記配分決定手段は、前記電源ラインに装置が接続された際に各装置に対する電力配分を決定することを特徴とする請求項１記載の電力制御システム。
【請求項１１】
前記配分決定手段は、前記電源ラインに接続された装置の電源投入時に各装置に対する電力配分を決定することを特徴とする請求項１記載の電力制御システム。
【請求項１２】
前記モード制御手段は、前記複数の装置の電力消費モードを一斉に変更することを特徴とする請求項１記載の電力制御システム。
【請求項１３】
前記モード制御手段は、前記複数の装置のいずれかにおいて消費電力を減少するように電力消費モードを変更する場合には、該装置のみの電力消費モードを変更することを特徴とする請求項１２記載の電力制御システム。
【請求項１４】
前記第１の多重手段は、電力消費モードの変更要求を前記電源ラインに多重し、
前記分配決定手段は、前記変更要求に基づいて各装置に対する電力配分を決定することを特徴とする請求項８記載の電力制御システム。
【請求項１５】
前記第１の多重手段は、電力情報の変更予定情報を前記電源ラインに多重し、
前記分配決定手段及び前記モード制御手段は、前記変更予定情報に基づいて各装置に対する電力配分及び電力消費モード制御をスケジューリングすることを特徴とする請求項８記載の電力制御システム。
【請求項１６】
前記第１の多重手段は、所定期間毎に各装置の消費電力を監視して該監視結果を前記電源ラインに多重し、
前記配分決定手段は、前記監視結果に基づいて各装置に対する電力配分を決定することを特徴とする請求項８記載の電力制御システム。
【請求項１７】
前記第１の多重手段は、各機器の消費電力が所定量以上変化した場合に、変化した消費電力情報を前記電源ラインに多重し、
前記配分決定手段は、前記消費電力情報に基づいて各装置に対する電力配分を決定することを特徴とする請求項８記載の電力制御システム。
【請求項１８】
前記所定量は、各機器の消費電力に応じて決定されることを特徴とする請求項１７記載の電力制御システム。
【請求項１９】
更に、前記電源ラインは複数系統からなり、
前記配分決定手段は、接続された装置に対する電力配分を各系統毎に決定し、
前記モード制御手段は、前記配分決定手段により決定された電力配分に従って各装置の電力消費モードを各系統毎に制御することを特徴とする請求項１記載の電力制御システム。
【請求項２０】
電源ライン上に互いに接続された複数の装置に対して電力供給を行なう電力制御システムであって、
前記複数の機器における消費電流情報を前記電源ラインに多重する第１の多重化手段と、
前記第１の多重化手段により多重化された消費電流情報に基づいて、各装置に対する電流配分を決定する配分決定手段と、
前記配分決定手段によって決定された電流配分に基づく電流制御信号を前記電源ラインに多重する第２の多重化手段と、
前記第２の多重化手段により多重化された電流制御信号に基づいて各装置への供給電流を制御する電流制御手段と、を有することを特徴とする電力制御システム。
【請求項２１】
前記第１の多重手段は、各機器の消費電流が所定量以上変化した場合に、変化した消費電流情報を前記電源ラインに多重し、
前記配分決定手段は、前記消費電流情報に基づいて各装置に対する電流配分を決定することを特徴とする請求項２０記載の電力制御システム。
【請求項２２】
前記所定量は、各機器の消費電流に応じて決定されることを特徴とする請求項２１記載の電力制御システム。
【請求項２３】
更に、前記電源ラインは複数系統からなり、
前記配分決定手段は、接続された装置に対する電流配分を各系統毎に決定し、
前記電流制御手段は、前記配分決定手段により決定された電流配分に従って各装置への供給電流を各系統毎に制御することを特徴とする請求項２０記載の電力制御システム。
【請求項２４】
前記配分手段は、前記各系統毎の消費電流に基づいて該系統における装置の接続状況を判断することを特徴とする請求項２３記載の電力制御システム。
【請求項２５】
前記複数の装置は、本電力制御システムに対応しない他の装置を接続可能なアダプタを含むことを特徴とする請求項２０乃至２４のいずれかに記載の電力制御システム。
【請求項２６】
前記アダプタは、現在の電力供給状況を報知する報知手段を有することを特徴とする請求項２４記載の電力制御システム。
【請求項２７】
電源ライン上に互いに接続された複数の装置に対して電力供給を行なう電力制御方法であって、
前記複数の機器における消費電流情報を前記電源ラインに多重し、
前記多重化された消費電流情報に基づいて、各装置に対する電流配分を決定し、
前記決定された電流配分に基づく電流制御信号を前記電源ラインに多重し、
前記多重化された電流制御信号に基づいて各装置への供給電流を制御することを特徴とする電力制御方法。
【請求項２８】
電源ライン上に互いに接続された複数の装置に対して電力供給を行なう電力制御処理の  プログラムコードが記録された記録媒体であって、該プログラムコードは、
前記複数の機器における消費電流情報を前記電源ラインに多重するためのコードと、
前記多重化された消費電流情報に基づいて、各装置に対する電流配分を決定するためのコードと、
前記決定された電流配分に基づく電流制御信号を前記電源ラインに多重するためのコードと、
前記多重化された電流制御信号に基づいて各装置への供給電流を制御するためのコードと、を含むことを特徴とする記録媒体。
【手続補正２】
【補正対象書類名】明細書
【補正対象項目名】００２０
【補正方法】変更
【補正の内容】
【００２０】
即ち、電源ライン上に互いに接続された複数の装置に対して電力供給を行う電力制御システムであって、前記複数の装置との間でデータ転送と電力供給を行うために、前記複数の装置と接続する装置接続手段と、前記複数の装置の接続状態に変化なく、前記複数の装置の電力消費量が所定のレベルを超えた場合に、前記複数の装置における電力情報に基づいて、各装置に対する電力配分を決定する配分決定手段と、前記配分決定手段により決定された電力配分に従って、各装置の電力消費モードを制御するモード制御手段と、を有することを特徴とする。
【手続補正３】
【補正対象書類名】明細書
【補正対象項目名】００２１
【補正方法】変更
【補正の内容】
【００２１】
また、電源ライン上に互いに接続された複数の装置に対して電力供給を行なう電力制御システムであって、前記複数の機器における消費電流情報を前記電源ラインに多重する第１の多重化手段と、前記第１の多重化手段により多重化された消費電流情報に基づいて、各装置に対する電流配分を決定する配分決定手段と、前記配分決定手段によって決定された電流配分に基づく電流制御信号を前記電源ラインに多重する第２の多重化手段と、前記第２の多重化手段により多重化された電流制御信号に基づいて各装置への供給電流を制御する電流制御手段と、を有することを特徴とする。
【手続補正４】
【補正対象書類名】明細書
【補正対象項目名】００２２
【補正方法】削除
【補正の内容】